(57)【要約】【課題】付加サービスの付与者、利用者、提供者の間での付加サービスの付与、利用、提供などの情報を集約してコンピュータで管理することができる付加サービスの集約管理システムを提供すること。【解決手段】付加サービスの付与および提供を同意する者の情報を１つのグループとして登録するとともに、付加サービスの利用者の記録媒体の情報を登録しておき、この１つのグループに対して１つの共通キー情報を発行し、記録媒体に共通キー情報ごとに付加サービス情報を記録することで、付加サービス利用者の要求により記録媒体に記録された共通キー情報に対する付加サービス情報にアクセスし、提供した付加サービスに基づき付加サービス情報を書き替えるようにする。これにより、１つのグループのもつアクセス権に相当する共通キーを介して記録媒体の付加サービス情報を利用するようにし、付加サービス情報だけを利用でき、コンピュータにより集約的に管理することができるようにする。【選択図】　　　図１
2004078732.tif 000002
【特許請求の範囲】
【請求項１】
付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報を集約してコンピュータで管理するシステムであって、
管理センタのデータベースに前記付加サービスの付与および提供を同意する者の情報を１つのグループとして登録するグループ登録ステップと、
管理センタのデータベースに前記付加サービスの利用者の記録媒体の情報を登録する記録媒体登録ステップと、
この１つのグループに対して前記データベース及び前記記録媒体にアクセス可能とする１つの共通キー情報を前記管理センタが発行し、前記データベースに登録する共通キー情報発行登録ステップと、
前記付加サービス利用者が所有する前記記録媒体に前記共通キー情報ごとに付加サービス情報を記録する付加サービス記録ステップと、
前記付加サービス利用者の要求により前記記録媒体に記録された共通キー情報に対する付加サービス情報にアクセスし、提供した付加サービスに基づき付加サービス情報を書き替える書き替えステップとを備えることを特徴とする付加サービスの集約管理システム。
【請求項２】
付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報を集約してコンピュータで管理するシステムであって、
管理センタのデータベースに前記付加サービスの付与および提供を同意する機能を有する者あるいはシステムの情報を１つのグループとして登録するグループ登録ステップと、
管理センタのデータベースに前記付加サービス利用者の記録媒体の情報を登録する記録媒体登録ステップと、
この１つのグループに対して、前記付加サービスを利用する利用者の有する前記記録媒体との間で、該グループと該記録媒体のみが理解することが可能な情報の受け渡し、および該グループと該記録媒体との間で認証することを可能とし、加えて、１つのグループと管理センタとの間で、前記データベースに対して、該グループのみが理解できる情報の受け渡し、および認証を可能とする共通キー情報を前記管理センタが発行し、前記データベースに該共通キー情報の識別情報を登録する共通キー情報発行登録ステップと、
前記記録媒体に対して、前記グループとの間で、該グループと該記録媒体のみが理解することが可能な情報の受け渡し、および該グループと該記録媒体との間で認証することを可能とする記録媒体キー情報を管理センタが発行し、加えて、該記録媒体キー情報の識別情報を前記データベースに登録する記録媒体キー情報発行登録ステップと、
前記付加サービス利用者が所有する前記記録媒体に該記録媒体と前記グループのみが理解可能な付加サービス情報を書き込み、および前記データベースに、該グループのみが理解可能な該付加サービス情報を記録する付加サービス記録ステップと、
前記付加サービス利用者の要求により前記記録媒体に対して、前記グループが前記共通キー情報によって、提供あるいは付与した付加サービスに基づき、該付加サービス情報を更新する記録媒体情報書き替えステップと、
前記付加サービス利用者の要求により前記記録媒体に対して、前記グループが前記共通キー情報によって、提供あるいは付与した付加サービスに基づき、前記データベースに、共通キー情報によって、該付加サービス情報を更新するデータベース情報書き替えステップと、
を備えることを特徴とする付加サービスの集約管理システム。
【請求項３】
付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報をサーバに集約して通信ネットワークを介して管理するシステムであって、
管理センタのサーバに前記付加サービスの付与および提供を同意する者の情報を１つのグループとして登録するグループ登録ステップと、
管理センタのサーバに前記付加サービスを利用する利用者の個人情報を登録する個人登録ステップと、
前記サーバに登録された１つのグループに対して前記サーバの情報にアクセス可能とする１つの共通キー情報を前記管理センタが発行して前記サーバに登録する共通キー情報発行登録ステップと、
前記サーバに登録された個人情報に対してアクセス可能とする個人キー情報を前記管理センタが発行し、前記サーバに登録する個人キー情報発行登録ステップと、
前記サーバに前記個人キー情報および共通キー情報ごとに前記付加サービス情報を記録する付加サービス記録ステップと、
前記付加サービス利用者が所有する記録媒体に前記個人キー情報を記録する個人情報ステップと、
前記付加サービス利用者の要求により前記記録媒体に記録された個人キー情報に対する個人情報に通信ネットワークを介してアクセスするとともに、共通キー情報に対する前記付加サービス情報にアクセスし、提供した付加サービスに基づき付加サービス情報を書き替える書き替えステップとを備えることを特徴とする付加サービスの集約管理システム。
【請求項４】
付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報をサーバに集約して通信ネットワークを介して管理するシステムであって、
管理センタのデータベースに前記付加サービスの付与および提供を同意する機能を有する者あるいはシステムの情報を１つのグループとして登録するグループ登録ステップと、
管理センタのサーバに前記付加サービスを利用する利用者の個人情報を登録する個人登録ステップと、
前記サーバに登録された１つのグループに対して、前記サーバにある情報に、該グループと前記付加サービス利用者のみが理解することが可能な情報の受け渡し、および該グループと前記付加サービスの利用者との間で認証することを可能とする共通キー情報を、前記管理センタが発行し、前記サーバに該共通キー情報の識別情報を登録する共通キー情報発行登録ステップと、
前記サーバに登録された利用者に対して、前記サーバにある情報に、前記利用者のみが理解することが可能な情報の受け渡し、および管理センタと該利用者との間で認証することを可能とする個人キー情報を、前記管理センタが発行し、前記サーバに該個人キー情報の識別情報を登録する個人キー情報発行登録ステップと、
前記サーバに、前記グループが、前記共通キー情報によって前記付加サービス情報を記録する付加サービス記録ステップと、
前記付加サービス利用者が所有する記録媒体に前記個人キー情報を記録する個人キー情報ステップと、
前記付加サービス利用者の要求により前記記録媒体に記録された個人キー情報に対する個人情報に通信ネットワークを介してアクセスするとともに、共通キー情報によって前記付加サービス情報にアクセスし、提供したあるいは付与した付加サービスに基づき付加サービス情報を書き替える書き替えステップと、
を備えることを特徴とする付加サービスの集約管理システム。
【請求項５】
複数のグループを登録する前記グループ登録ステップと、
これらグループごとに異なる共通キー情報を発行し登録する前記共通キー情報発行登録ステップとを備えることを特徴とする請求項１〜４のいずれかに記載の付加サービスの集約管理システム。
【請求項６】
前記グループ登録ステップに登録されるグループが、前記付加サービスの付与および提供を同意することによって形成されるグループであることを特徴とする請求項５記載の付加サービスの集約管理システム。
【請求項７】
前記グループに所属する者あるいはシステムは、複数のグループに所属することも可能とする請求項１〜６のいずれかに記載の付加サービスの集約管理システム。
【請求項８】
前記付加サービスの付与および提供を同意することによって形成されたグループに所属するものは、付加サービスを付与する付与者および付加サービスの提供者のどちらにもなりうることを特徴とする請求項１〜７のいずれかに記載の付加サービスの集約管理システム。
【請求項９】
前記付加サービスが駐車場の割引サービスであり、前記グループが当該駐車場の割引サービスの付与者および当該駐車場の管理者であることを特徴とする請求項１〜８のいずれかに記載の付加サービスの集約管理システム。
【発明の詳細な説明】
【０００１】
【発明の属する技術分野】
この発明は付加サービスの集約管理システムに関し、例えばデパートや商店などの利用に伴う駐車場サービスなどの付加サービスを集約的に管理できるようにしたものである。
【０００２】
【従来の技術】
従来からデパートや商店等では、利用の促進を図るため利用状況に応じて割引サービスなどの付加サービスを付与することが行われており、例えば一般的な付加サービスの一つに駐車場の割引サービスがある。
【０００３】
これまでの駐車場の割引サービスは、駐車場の近隣の複数の商店が駐車場の発行する駐車場サービス券を購入しておき、商店での利用金額に応じた枚数の駐車場サービス券を利用者に渡すようにし、利用者が駐車場に駐車場サービス券を渡すことで割引サービスを受けるようになっている。
【０００４】
また、管理組織に加盟する複数の商店および駐車場が共通駐車場サービス券を用いて駐車場サービスを行い、管理組織を通じて共通駐車場サービス券の販売や駐車場への支払などを管理するようにしたものもある。
【０００５】
【発明が解決しようとする課題】
ところが、このような駐車場サービス券や共通駐車場サービス券は、通常紙や磁気カードなどの媒体に駐車場の利用可能時間等の割引サービス情報が記録されており、割引サービスを付与する付与者、この割引サービスを利用する利用者、割引サービースを提供する提供者の間で紙や磁気カード等の媒体ごと受け渡しが行われている。
【０００６】
このため、例えば３０分ごとに１枚のサービス券が付与される場合には、２時間の割引サービスに対しては４枚のサービス券等の媒体が受け渡しされ、駐車場での精算等での取り扱いに手間がかかり繁雑となるという問題がある。
【０００７】
一方、駐車場サービス券や共通駐車場サービス券の媒体としてＩＣカード等を利用者に発行しておき、これに割引サービスの情報を記録し、このＩＣカードに記載された内容に基づく割引サービスが受けられるようにすることも考えられるが、このような場合には、利用者は駐車場ごとや管理組織ごとに発行されるＩＣカードを持つ必要があり、利用者における複数枚のカードの管理が繁雑になるとともに、それぞれの駐車場や管理組織ではＩＣカードの発行が必要になるという問題がある。
【０００８】
また、例えば都心部のデパートの利用者に対して利用者の最寄りの駅に隣接した駐車場に駐車させ、公共交通機関などを利用してもらうことで都心部の混雑解消を図るようにする場合などに、異なる地域まで駐車場の割引サービスを広げようとすると、デパート側では、利用者の地域ごとに発行されるＩＣカードなどを管理しなければならず、一層管理が繁雑となってしまうという問題がある。
【０００９】
この発明は上記従来技術の有する課題に鑑みてなされたもので、付加サービスの付与者、利用者、提供者の間での付加サービスの付与、利用、提供などの情報を集約してコンピュータで管理することができる付加サービスの集約管理システムを提供しようとするものである。
【００１０】
【課題を解決するための手段】
上記課題を解決するためこの発明の請求項１記載の付加サービスの集約管理システムは、付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報を集約してコンピュータで管理するシステムであって、管理センタのデータベースに前記付加サービスの付与および提供を同意する者の情報を１つのグループとして登録するグループ登録ステップと、管理センタのデータベースに前記付加サービスの利用者の記録媒体の情報を登録する記録媒体登録ステップと、この１つのグループに対して前記データベース及び前記記録媒体にアクセス可能とする１つの共通キー情報を前記管理センタが発行し、前記データベースに登録する共通キー情報発行登録ステップと、前記付加サービス利用者が所有する前記記録媒体に前記共通キー情報ごとに付加サービス情報を記録する付加サービス記録ステップと、前記付加サービス利用者の要求により前記記録媒体に記録された共通キー情報に対する付加サービス情報にアクセスし、提供した付加サービスに基づき付加サービス情報を書き替える書き替えステップとを備えることを特徴とするものである。
【００１１】
この付加サービスの集約管理システムによれば、付加サービスの付与および提供を同意する者の情報を１つのグループとして登録するとともに、付加サービスの利用者の記録媒体の情報を登録する。この１つのグループに対して１つの共通キー情報を発行し、記録媒体に共通キー情報ごとに付加サービス情報を記録する。さらに、付加サービス利用者の要求により記録媒体に記録された共通キー情報に対する付加サービス情報にアクセスし、提供した付加サービスに基づき付加サービス情報を書き替えする。このため、１つのグループのもつアクセス権に相当する共通キーを介して記録媒体の付加サービス情報を利用するようにし、付加サービス情報だけを利用でき、コンピュータにより集約的に管理することができるようになる。
【００１２】
また、この発明の請求項２記載の付加サービスの集約管理システムは、付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報を集約してコンピュータで管理するシステムであって、管理センタのデータベースに前記付加サービスの付与および提供を同意するものの情報を１つのグループとして登録するグループ登録ステップと、管理センタのデータベースに前記付加サービス利用者の記録媒体の情報を登録する記録媒体登録ステップと、この１つのグループに対して、前記付加サービスを利用する利用者の有する前記記録媒体との間で、該グループと該記録媒体のみが理解することが可能な情報の受け渡し、および該グループと該記録媒体との間で認証することを可能とし、加えて、１つのグループと管理センタとの間で、前記データベースに対して、該グループのみが理解できる情報の受け渡し、および認証を可能とする共通キー情報を前記管理センタが発行し、前記データベースに該共通キー情報の識別情報を登録する共通キー情報発行登録ステップと、前記記録媒体に対して、前記グループとの間で、該グループと該記録媒体のみが理解することが可能な情報の受け渡し、および該グループと該記録媒体との間で認証することを可能とする記録媒体キー情報を管理センタが発行し、加えて、該記録媒体キー情報の識別情報を前記データベースに登録する記録媒体キー情報発行登録ステップと、前記付加サービス利用者が所有する前記記録媒体に該記録媒体と前記グループのみが理解可能な付加サービス情報を書き込み、および前記データベースに、該グループのみが理解可能な該付加サービス情報を記録する付加サービス記録ステップと、前記付加サービス利用者の要求により前記記録媒体に対して、前記グループが前記共通キー情報によって、提供あるいは付与した付加サービスに基づき、該付加サービス情報を更新する記録媒体情報書き替えステップと、前記付加サービス利用者の要求により前記記録媒体に対して、前記グループが前記共通キー情報によって、提供あるいは付与した付加サービスに基づき、前記データベースに、共通キー情報によって、該付加サービス情報を更新するデータベース情報書き替え
ステップとを備えることを特徴とするものである。
【００１３】
この付加サービスの集約管理システムによれば、付加サービスの付与および提供を同意するものの情報を１つのグループとして登録するとともに、付加サービスの利用者の記録媒体の情報を登録する。この１つのグループに対して１つの共通キー情報を発行し、また、記録媒体キーごとに記録媒体キー情報を発行する。記録媒体および管理システムのデータベースに記録される付加サービス情報は、共通キー情報および記録媒体キー情報によって暗号化されて記録される仕組みとなっている。また、該記録媒体の該付加サービス情報にアクセスし、複号化（暗号化されたデータを基に戻すことを）するためには、共通キー情報あるいは記録媒体キー情報を必要とする。さらに、付加サービス利用者の要求により、共通キー情報および記録媒体キー情報に対して、記録媒体に記録された付加サービス情報にアクセスし、提供した付加サービスに基づき付加サービス情報を書き替えるようにしている。このため、１つのグループのもつ共通キー情報および記録媒体の記録媒体キー情報を介して、記録媒体の該共通キー情報に関する付加サービス情報だけを利用でき、コンピュータにより集約的に管理することができる。
【００１４】
ここで、付加サービスの付与および提供を同意する機能を有する者あるいはシステムの情報とは、付加サービスの付与および提供を同意する者だけでなく、システムとして付加サービスの付与および提供を同意する機能を有する場合であっても良い。例えば予め提示された付加サービスの登録グループとしての同意条件と一致する場合に、システムを構成する者の同意を得ることなくシステム自体として加わるような場合が含まれる意である。
【００１５】
さらに、この発明の請求項３記載の付加サービスの集約管理システムは、付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報をサーバに集約して通信ネットワークを介して管理するシステムであって、管理センタのサーバに前記付加サービスの付与および提供を同意する者の情報を１つのグループとして登録するグループ登録ステップと、管理センタのサーバに前記付加サービスを利用する利用者の個人情報を登録する個人登録ステップと、前記サーバに登録された１つのグループに対して前記サーバの情報にアクセス可能とする１つの共通キー情報を前記管理センタが発行して前記サーバに登録する共通キー情報発行登録ステップと、前記サーバに登録された個人情報に対してアクセス可能とする個人キー情報を前記管理センタが発行し、前記サーバに登録する個人キー情報発行登録ステップと、前記サーバに前記個人キー情報および共通キー情報ごとに前記付加サービス情報を記録する付加サービス記録ステップと、前記付加サービス利用者が所有する記録媒体に前記個人キー情報を記録する個人情報ステップと、前記付加サービス利用者の要求により前記記録媒体に記録された個人キー情報に対する個人情報に通信ネットワークを介してアクセスするとともに、共通キー情報に対する前記付加サービス情報にアクセスし、提供した付加サービスに基づき付加サービス情報を書き替える書き替えステップとを備えることを特徴とするものである。
【００１６】
この付加サービスの集約管理システムによれば、付加サービスの付与および提供を同意する者の情報を１つのグループとして登録するとともに、付加サービスを利用する利用者の個人情報をサーバに登録する。さらに、この１つのグループに対してサーバの情報にアクセス可能とする１つの共通キー情報を発行するとともに、利用者に対して個人情報にアクセス可能とする個人キー情報を発行し、サーバに個人キー情報および共通キー情報ごとに付加サービス情報を記録できる。また、付加サービス利用者の要求により記録媒体に記録された個人キー情報に対する個人情報に通信ネットワークを介してアクセスするとともに、共通キー情報に対する付加サービス情報にアクセスし、提供した付加サービスに基づき付加サービス情報を書き替えるようにしている。このため、１つのグループのもつアクセス権に相当する共通キーを介して要求された個人キーに対するサーバの付加サービス情報を利用するようにして通信ネットワークを介して集約的に付加サービス情報を管理することができるようになる。
【００１７】
また、この発明の請求項４記載の付加サービスの集約管理システムは、付加サービスを付与する付与者と、この付加サービス付与者から付与された付加サービスを利用する利用者と、この付加サービス利用者からの要求により付加サービスを提供する提供者との間の付加サービスの付与、利用、提供などの付加サービス情報をサーバに集約して通信ネットワークを介して管理するシステムであって、管理センタのデータベースに前記付加サービスの付与および提供を同意する機能を有する者あるいはシステムの情報を１つのグループとして登録するグループ登録ステップと、管理センタのサーバに前記付加サービスを利用する利用者の個人情報を登録する個人登録ステップと、前記サーバに登録された１つのグループに対して、前記サーバにある情報に、該グループと前記付加サービス利用者のみが理解することが可能な情報の受け渡し、および該グループと前記付加サービスの利用者との間で認証することを可能とする共通キー情報を、前記管理センタが発行し、前記サーバに該共通キー情報の識別情報を登録する共通キー情報発行登録ステップと、前記サーバに登録された利用者に対して、前記サーバにある情報に、前記利用者のみが理解することが可能な情報の受け渡し、および管理センタと該利用者との間で認証することを可能とする個人キー情報を、前記管理センタが発行し、前記サーバに該個人キー情報の識別情報を登録する個人キー情報発行登録ステップと、前記サーバに、前記グループが、前記共通キー情報によって前記付加サービス情報を記録する付加サービス記録ステップと、前記付加サービス利用者が所有する記録媒体に前記個人キー情報を記録する個人キー情報ステップと、前記付加サービス利用者の要求により前記記録媒体に記録された個人キー情報に対する個人情報に通信ネットワークを介してアクセスするとともに、共通キー情報によって前記付加サービス情報にアクセスし、提供したあるいは付与した付加サービスに基づき付加サービス情報を書き替える書き替えステップとを備えることを特徴とするものである。
【００１８】
この付加サービスの集約管理システムによれば、付加サービスの付与および提供を同意する者の情報を１つのグループとして登録するとともに、付加サービスを利用する利用者の個人情報をサーバに登録する。さらに、この１つのグループに対して、サーバにある情報に、該グループと前記付加サービス利用者のみが理解することが可能な情報の受け渡し、および該グループと前記付加サービスの利用者との間で認証するために必要な共通キー情報を発行する。さらに、利用者に対して、該利用者のみが理解することが可能な情報の受け渡し、および管理センタと該利用者との間で認証することを可能とする個人キー情報を発行する。
【００１９】
さらに、サーバに、アクセスおよび利用に関して、個人キー情報および共通キー情報を必要とする付加サービス情報を記録する。さらに、付加サービス利用者の要求により記録媒体に記録された個人キー情報に対する個人情報に、通信ネットワークを介してアクセスするとともに、アクセスおよび利用に関して、共通キー情報および個人キー情報を必要とする付加サービス情報にアクセスし、提供した付加サービスに基づき付加サービス情報を書き替えるようにしている。これによって、１つのグループのもつ共通キーを介して要求されたアクセスおよび利用に関して、共通キー情報および個人キー情報を必要とする付加サービス情報を利用するようにして通信ネットワークを介して集約的に付加サービス情報を管理することができるようになる。
【００２０】
さらに、この発明の請求項５記載の付加サービスの集約管理システムは、請求項１〜４のいずれかに記載の構成に加え、複数のグループを登録する前記グループ登録ステップと、これらグループごとに異なる共通キー情報を発行し登録する前記共通キー情報発行登録ステップとを備えることを特徴とするものである。
【００２１】
この付加サービスの集約管理システムによれば、複数のグループを登録し、それぞれのグループごとに異なる共通キー情報を発行するようにしており、利用者の１つの記録媒体で複数のグループのそれぞれ異なる付加サービス情報をグループごとの共通キー情報で管理できる。したがって、コンピュータや通信ネットワークのいずれを介しても集約的に付加サービス情報を管理することができるようになる。
【００２２】
また、この発明の請求項６記載の付加サービスの集約管理システムは、請求項５記載の構成に加え、前記グループ登録ステップに登録されるグループが、前記付加サービスの付与および提供を同意することによって形成されるグループであることを特徴とするものである。
【００２３】
この付加サービスの集約管理システムによれば、前記グループ登録ステップに登録されるグループが、前記付加サービスの付与および提供を同意することによって形成されるグループである。これによって、グループに属する付加サービスの付与者あるいは提供者のいる地域等の物理的条件に制約を受けることなく、広範囲にグループを形成できるようにしている。
【００２４】
さらに、この発明の請求項７記載の付加サービスの集約管理システムは、請求項１〜６のいずれかに記載の構成に加え、前記グループに所属する者あるいはシステムは、複数のグループに所属することも可能とすることを特徴とするものである。
【００２５】
この付加サービスの集約管理システムによれば、前記グループに所属する者あるいはシステムは、複数のグループに所属することも可能であるので、広範囲にグループを形成して付加サービスの付与、利用、提供ができるようになる。
【００２６】
また、この発明の請求項８記載の付加サービスの集約管理システムよれば、請求項１〜７のいずれかに記載の構成に加え、前記付加サービスの付与および提供を同意することによって形成されたグループに所属するものは、付加サービスを付与する付与者および付加サービスの提供者のどちらにもなりうることを特徴とするものである。
【００２７】
この付加サービスの集約管理システムによれば、前記付加サービスの付与および提供を同意することによって形成されたグループに所属するものは、付加サービスを付与する付与者および付加サービスの提供者のどちらにもなりうるようにした。これにより一層広範囲にグループを形成して付加サービスの付与、利用、提供ができるようになった。さらに、付加サービスの利用者の嗜好等に応じて、付加サービスの提供等を行うことができるようになる。
【００２８】
さらに、この発明の請求項９記載の付加サービスの集約管理システムは、請求項１〜８のいずれかに記載の構成に加え、前記付加サービスが駐車場の割引サービスであり、前記グループが当該駐車場の割引サービスの付与者および当該駐車場の管理者であることを特徴とするものである。
【００２９】
この付加サービスの集約管理システムによれば、付加サービスを駐車場の割引サービスとし、グループを駐車場の割引サービスの付与者および駐車場の管理者とするようにしており、駐車場の割引サービスを記録媒体と分離して効率的に管理できるようになる。
【００３０】
【発明の実施の形態】
以下、この発明の実施の形態について図面を参照しながら説明する。
この発明の付加サービスの集約管理システムは、例えば駐車場の割引サービスを行う場合に適用される。図１において、管理センタ１に設けられる管理システムの下に付加サービスの付与および提供を同意する提携者グループが組織されて集約的に管理するようにしてある。例えば異なる２つの提携者グループα，βが組織され、各提携者グループα，βの駐車場α，βの割引サービスが集約的に管理されるが、ここでは、情報に対するアクセス制限だけを行う場合と、暗号化して行う場合とを例に説明する。
【００３１】
なお、付加サービス提供者は駐車場だけに限らず、該グループに属するものは、付加サービスの付与者にも付加サービスの提供者にもなりうる。また、同様に、提供される付加サービスも、駐車場の割引サービスだけとに限らず、種々のサービスを付加する場合に適用することができる。
【００３２】
管理センタ１で管理される１つの提携者グループαは、付加サービスの付与者であるデパートαおよび飲食店αと、付加サービスの提供者である駐車場αとで組織され、もう１つの提携者グループβは、付加サービスの付与者であるデパートβおよび飲食店βと、付加サービスの提供者である駐車場βとで組織されている。さらに、互いに同意されていない提携者グループαの付加サービス情報を提携者グループβが利用したり、逆に，提携者グループβの付加サービス情報を提携者グループαが利用することなど、提携者グループを越えて付加サービス情報を利用できないようになっている。
【００３３】
一方、付加サービスの利用者である個人は、それぞれの提携者グループα，β内でそれぞれの付加サービスを利用できる。しかし、互いに同意されていない提携者グループαで付与された付加サービスを提携者グループβで利用したり、逆に，提携者グループβで付与された付加サービスを提携者グループαで利用することなど、提携者グループを越えて付加サービスを受けることはできないようになっている。
【００３４】
なお、管理センタ１で管理される提携者グループは２つの場合に限らず、１つであったり、３つ以上であっても良い。さらに、提携者グループを組織するものは付与者および提供者がそれぞれ１人以上であれば良く、多くなればなるほど集約的に管理する効果が増大する。ここでは、図１の中の１つの提携者グループαを例に説明することにする。
【００３５】
この付加サービスの集約管理システムでは、管理センター１のデータベース２に付加サービスの集約管理に必要な情報の登録、例えば提携者グループα、βごとのデータの記録登録（グループ登録ステップ）および、割引サービスの利用者が持つ記録媒体を特定する情報である記録媒体情報の登録（記録媒体登録ステップ）がされる。
【００３６】
提携者グループαのデータとしては、提携者グループα自体のデータである提携者グループ情報、提携者グループαを組織する者のデータであるサービス提携者情報、個人に付与された付加サービスの内容などのデータである割引サービス情報などが記録登録されるほか、割引サービスを受けた利用者の記録媒体情報や、該記録媒体を所有する個人の個人情報などが記録登録される。
【００３７】
なお、個人情報は必ずしも必要でなく、省略することもできる情報である。
【００３８】
そして、１つの提携者グループαに対しては、グループごとに与えられる１つの共通キー情報としてサービス提携者間共通キー情報が管理センタ１で付与される。データベース２には、該サービス提携者間共通キー情報の識別情報が記録登録される（共通キー情報発行登録ステップ）。
【００３９】
また、１つの記録媒体に対して、前記グループとの間で、該グループと該記録媒体のみが理解することが可能な情報の受け渡し、および該グループと該記録媒体との間で認証することを可能とする記録媒体キー情報を管理センタが発行され、該記録媒体キー情報を識別する情報が前記データベースに登録される（記録媒体キー情報発行登録ステップ）。
【００４０】
例えば、この共通キー情報としては、キーαが与えられ、このキーαによってデータベース２の提携者クループαのデータにアクセスすることができる。さらに、他の提携者グループβ等のデータへのアクセスが制限されるようにしてある。
【００４１】
あるいは、この共通キー情報としては、キーαが与えられる。また、記録媒体キー情報としてはキーＡが与えられる。このキーαによってデータベース２の提携者グループαのデータにアクセスする許可を得ることができる。さらに、暗号化されているデータを復号化（暗号化されたものを基に戻すこと）して読み込み、また、データを暗号化して書き込むことを可能とする。ただし、付加サービス情報は、復号化して読み込むことしかできない。
【００４２】
したがって、他の提携者グループβ等が提携者グループαのデータを読み書きすることはできない。同様に、提携者グループαも他の提携者グループβ等のデータを読み書きすることはできない。
【００４３】
このような管理センタ１で管理される提携者グループαを組織する付加サービスの付与者であるデパートαおよび飲食店α、付加サービスの提供者である駐車場αには、それぞれ管理センタ１のデータベース２との間でデータの授受を行う送受信装置１１が備えられ、電話回線など既存の電子通信手段によってデータベース２へのアクセスができるようになっている（付加サービス記録ステップ及び付加サービス情報の書き替えステップ）。
【００４４】
また、デパートα、飲食店αおよび駐車場αには、それぞれ記録媒体２１の情報を読み取ることと、ったり、新たな情報を書き込むことができる装置（以下、読み書き装置という。）１２が備えられている。この読み書き装置１２には、共通キー情報であるキーαに対して記録された割引サービス情報にアクセスできるシステム１３が備えられている。
【００４５】
あるいは、この読み書き装置１２には、共通キー情報であるキーαおよび記録媒体キー情報であるキーＡを用いて、記録媒体内の該グループに関する割引サービス情報にアクセスし、暗号化された該データを読み込み復号化し、提供あるいは付与した付加サービスに基づいて、該グループの割引サービス情報を書き換えて暗号化することができるシステム１３が備えられている。
【００４６】
なお、このシステム１３は、非公開の管理システムの一部として扱っているので、該グループが仕組みを知ることはできない。
【００４７】
一方、割引サービスを利用する利用者である個人は、記録媒体２１を所有しており、この記録媒体２１には、割引サービスの提供者であるデパートαや飲食店αによって付与された割引サービスの情報が共通キー情報であるキーαに対して記録されるようになっている。
【００４８】
あるいは、割引サービスを利用する利用者である個人は、記録媒体２１を所有しており、この記録媒体２１には、割引サービスの提供者であるデパートαや飲食店αによって付与された割引サービスの情報が、共通キー情報であるキーαおよび記録媒体キー情報であるキーＡによって、アクセス可能であり、さらに、データを復号化し読み込み可能である。また、データを暗号化して書き込むことが可能である。
【００４９】
以上のようにして提携者グループαに対する管理センタ１のデータベース２や提携者グループαを組織するデパートα、飲食店αおよび駐車場αの送受信装置１１や読み取り装置１２およびシステム１３が構成される。同様に、提携者ブループβについても共通キー情報としてキーβが付与される。さらに、管理センタ１のデータベース２や提携者グループβを組織するデパートβ、飲食店βおよび駐車場βの送受信装置１１や読み書き装置１２およびシステム１３が構成される。しかし、割引サービスの利用者個人の所有する記録媒体２１は、１枚のものが共通に利用され、キーβに対する割引サービスの情報も記録できるようにしてある。
【００５０】
なお、提携者グループが増えた場合にも同様に構成され、利用者個人は１枚の記録媒体２１を所有して割引サービスを利用するようになっている。
【００５１】
次に、このような付加サービスの集約管理システムによる実際の管理について具体的に説明する。
【００５２】
まず、このシステムでは、付加サービスの付与および提供を同意する者、例えばデパートα、飲食店αと、その付加サービスである駐車場の割引サービスを提供する駐車場αが、グループαとして管理センタ１のデータベース２に登録され、キーαが付与される。また、利用者である個人にはＩＣカードなどの記録媒体２１が発行され、その情報が管理センタ１のデータベース２に登録されている。
【００５３】
なお、提供される付加サービスは、ここでは駐車場の割引サービスであるが、該グループαに属するものであれば、付加サービスの提供者にも、付与者にもなり得る。
【００５４】
そして、　割引サービスの提供者であるデパートαで買い物をすることに等により利用者の記録媒体２１に駐車場の割引サービスが付与され、購入額に応じた割引サービスの情報が記録媒体２１に記録されているとする。
【００５５】
Ａ．利用者のリクエストにより割引サービスの提供を受ける場合について、図２に示すフロー図にしたがって説明する。
【００５６】
（１）　割引サービスを提供する駐車場α（サービス提携者）は、記録媒体のサービス提携者間共通キー情報および記録媒体情報を読み書き装置で読み取る。すなわち、利用者が提出した記録媒体を読み書き装置に入れる、あるいは読み書き装置の上に載置することにより読み取ることができる。
【００５７】
（２）　記録媒体に記録された付加サービス情報が、サービス提携者間共通キー情報であるキーαによって、利用が許可されているかを確認する。
すなわち、キーαによって、該記録媒体の付加サービス情報の利用が許可されていない場合は、読み書き装置に割引サービスの利用ができないことを表示するなどして利用者に知らせる。
【００５８】
（３）　キーαで利用が許可されていることが確認されると、記録媒体を使用している利用者のリクエストを入力する。
この利用者のリクエストは、記録媒体内の個人の割引サービス情報の取り扱いに関する要求事項であり、ここでは駐車場の割引サービスを受けることが相当する。
【００５９】
（４）　キーによって個人の割引サービス情報にアクセスする。
キーαによって記録媒体のキーαに対して記録されている割引サービス情報にアクセスする。
あるいは、キーαおよびキーＡによって、前記記録媒体のキーαによって利用可能な割引サービス情報にアクセスし、該割引サービス情報を読み込み復号化する。
【００６０】
（５）　利用者のリクエストが実行可能か確認する。
利用者のリクエストが実行できない場合は、利用者のリクエストの入力ステップに戻す。
あるいは、復号化した前記記録媒体より読み込んだ割引サービスのポイントと、提供するために必要とされる割引サービスのポイントを比較して、利用者のリクエストが実行できない場合は、利用者のリクエストの入力からやり直す。
【００６１】
（６）　利用者のリクエストの実行が可能であれば、これを実行し、記録媒体内の割引サービス情報を更新する。
実行した割引サービスに応じて対応する割引サービス分を差し引いた割引サービス情報に書き替えるようにする。
あるいは、（５）で読み込んだ割引サービスのポイントから、提供した割引サービスのポイントを差し引いた割引サービスのポイントを、新しい割引サービス情報として、キーαおよびキーＡによって暗号化して、前記記録媒体のキーαで利用可能な割引サービス情報を書き替える。
【００６２】
（７）　サービス提供者が実行した割引サービス情報の更新内容および記録媒体情報、更新時刻をサービス提携者のデータベースに保存する。
【００６３】
（８）　利用者のリクエストを終了する。
これにより、利用者には記録媒体を返却するとともに、駐車場から車両を出庫させる。
【００６４】
（９）　サービス提携者と管理センタ１のデータベース２との間を電子通信を介して送受信装置により、該データベース２に保存すべき情報を送信する。
このようにして、サービス提携者間の共通キー情報、サービス提携者情報、サービス提携者のデータベース内部の暗号化されたデータを管理センター１に送信する。
【００６５】
（１０）　管理センタ１では、送信されたデータに対して、サービス提携者間の共通キー情報の識別を確認する。共通キー情報を確認した場合には、アクセス可能なデータベースへのアクセスを許可する。一方、共通キー情報を確認できなかった場合には、情報を送り返すとともに、エラーメッセージをサービス提携者に伝える。
【００６６】
（１１）　サービス提携者より送信された、サービス提携者情報、サービス提携者のデータベース内部のデータをデータベース２に保存する。
【００６７】
あるいは、サービス提携者より送信された、サービス提携者情報、サービス提携者のデータベース内部の暗号化されたデータをデータベース２内部の、共通キー情報に関するデータベースに保存する。
【００６８】
このようにして割引サービスの付与、割引サービスの提供等を行うことで、記録媒体に記録されている割引サービス情報を共通キー情報および記録媒体キー情報によってアクセスし、利用可能とすることで、割引サービス情報だけを記録媒体ごと受け渡すこと無く利用することができる。このため、割引サービス情報を集約的に管理することができるとともに、利用者においても記録媒体を呈示するだけで割引サービスの付与を受けたり、割引サービスを利用できる。
【００６９】
Ｂ．利用者個人が割引サービス情報を確認する場合には、図３に示すようなフロー図にしたがって確認することができる。
【００７０】
記録媒体２１に割引サービスの情報が記録されることから、利用者個人は、記録媒体を見ただけではその内容を確認することができないので、次のようにして割引サービスの内容の確認を行う。
【００７１】
（１）　サービス提携者であるデパートα、飲食店αあるいは駐車場αの読み書き装置で記録媒体の情報を読み取る。
この読み書き装置１２としては、ＰＣとカードリーダあるいは専用端末等が用いられる。
【００７２】
（２）　読み取った情報を表示する。
読み取った内容はＰＣの画面や専用端末の画面などを用いて表示することで、割引サービスの内容を確認することができる。
【００７３】
このような割引サービスの情報の確認は、利用者の要求によりそれぞれの割引サービスの提供者で行うようにする。あるいは、記録媒体キー情報によって自宅のＰＣとカードリーダーによって行えるようにすることもできる。
【００７４】
これにより、記録媒体２１に記録された割引サービスの内容を忘れてしまったり、前回に受けた割引サービスから相当の期間が経過した場合などであっても簡単にその内容を確認することができる。
【００７５】
また、確認したときや割引サービスの利用の都度、割引サービスの情報をプリンタなどで印刷して利用者に渡すようにして確認できるようにしても良い。
【００７６】
Ｃ．サービス提携者において割引サービスについての情報を確認する場合には、図４に示すフロー図にしたがって行う。
【００７７】
サービス提携者においては、例えば駐車場サービス券を付与し、これを回収したりするだけでなく、割引サービスが情報としてデータベースに記録され、更新されることから、この情報を利用することができる。その場合は次のようにして行う。
【００７８】
（１）　サービス提携者がサービス提携者間の共通キー情報を入力する。
【００７９】
（２）　サービス提携者が管理システムに必要な情報等をリクエストする。
このリクエストとは、管理システムの有するサービス提携者の割引サービスの情報に関してデータベースに対して求めることである。
【００８０】
（３）　サービス提携者が管理システムへ情報を送信する。
サービス提携者はＰＣやＰＯＳ端末等を利用して情報を送信する。
ここで送信する情報としては、サービス提携者間の共通キー情報、サービス提携者の情報、システムへのリクエスト情報等である。
【００８１】
（４）　管理センタでは、サービス提携者間の共通キー情報の確認を行う。
【００８２】
（５）　共通キー情報に対応した提携者グループのデータベースへアクセスし、サービス提携者のリクエストが実行可能か判断する。
【００８３】
（６）　サービス提携者間の共通キー情報に対応した提携者グループのデータベースにアクセスし、提携者のリクエストした情報を作成する。
【００８４】
（７）　作成された提携者のリクエストした情報を送信する。
【００８５】
（８）　サービス提携者がリクエストした情報を得る。
このようにしてサービス提携者は情報を得ることができ、割引サービスの付与や提供だけでなく、これに基づく情報を簡単に利用することができ、本来の業務に利用することができる。
【００８６】
このような付加サービスの集約管理システムによれば、割引サービスなどの付加サービス情報にアクセスし、読み込み、あるいは復号化して読み込み可能とするには共通キー情報を必要とするため、サービス提携者に共通キー情報を与えることで、該付加サービス提携者は割引サービスなどの情報を利用することが可能となる。
【００８７】
また、付加サービス情報にアクセスし、読み書きを可能とするには共通キー情報を必要とするので、１つの記録媒体２１に対して、独立した各々の付加サービス情報を記録したり、該付加サービスを読み込むことができる。
【００８８】
これにより、記録媒体２１の数量を減少し、付加サービス等の利用者は記録媒体２１の管理が容易になる。さらに、サービスの提携者も共通の記録媒体２１を利用することができる。
【００８９】
管理センタのデータベースに記録されている付加サービス情報にアクセスし、読み書きを可能とする共通キー情報を用いることで、付加サービス等の情報の詳細な管理が可能となり、サービス提携者は様々な割引サービスを提供しても同一のシステムによって管理することができる。ただし、共通キー情報を用いても、付加サービス情報は読み込みしかできない。
【００９０】
また、このようなシステムによれば、サービス券の発行などのような人手による割引サービスの管理の場合に比べ、手間を大巾に省き能率的に管理することができる。
【００９１】
次に、この発明の付加サービスの集約管理システムの他の一実施の形態について図５〜図８を参照しながら説明するが、既に説明した実施の形態と同一部分については、同一記号を記し、説明は省略する。
【００９２】
この付加サービスの集約管理システムでは、例えば駐車場の割引サービスを行う場合に適用される。図５に示すように、管理センタ１に設けられる管理システムの下に付加サービスの付与および提供を同意する提携者グループが組織される（グループ登録ステップ）。さらに、この付加サービスを利用する利用者である個人の情報も管理（個人登録ステップ）し、通信ネットワークを介して利用することで集約的に管理するようにしてある。例えば異なる２つの提携者グループα，βが組織され、各提携者グループα，βの駐車場α，βの割引サービスが管理センタ１のサーバ３によって通信ネットワークを介して集約的に管理されるが、ここでは、図５の中の１つの提携者グループαを例に説明することにする。
【００９３】
この付加サービスの集約管理システムでは、管理センタ１のサーバ３のデータベース（提携者グループデータベース）２には、既に説明したように付加サービスの集約管理に必要な情報、例えば提携者グループα，βごとのデータなどが記録登録されている。
【００９４】
提携者グループαのデータとしては、提携者グループα自体のデータである提携者グループ情報、提携者グループαを組織するもののデータであるサービス提携者情報、個人に付与された付加サービスの内容などのデータである割引サービス情報などが記録登録（付加サービス記録ステップ）されるほか、割引サービスを利用した個人を識別する個人情報などが記録登録される。
【００９５】
そして、１つの提携者グループαに対しては、グループごとに与えられる１つの共通キー情報としてサービス提携者間共通キー情報が管理センタ１で付与される。さらに、データベース２に該提携者間共通キーを識別する情報が記録登録される（共通キー情報発行登録ステップ）。
【００９６】
例えば、この共通キー情報としては、キーαが与えられ、データベース２の提携者グループαのデータに対して、該グループと付加サービス利用者のみが理解することが可能な情報の受け渡し、および該グループと前記付加サービスの利用者との間で認証することを可能とするために、このキーαを必要とし、他の提携者グループβ等のデータの利用が制限されるようにしてある。
【００９７】
また、管理センタ１のサーバ３には、個人データベース４が設けられ、付加サービスを利用する個人の個人情報がそれぞれ記録登録される。
【００９８】
この個人情報としては、各個人の個人情報にアクセスするための個人キー情報、例えばキーＡなどの個人の情報、各提携者グループで付与された付加サービスの情報であるサービス情報等がそれぞれ登録記録されている（個人キー情報発行登録ステップ）。
【００９９】
あるいは、この個人情報としては、各利用者のみが理解することが可能な情報の受け渡し、個人の情報、各提携者グループで付与された付加サービスの情報であるサービス情報等がそれぞれ登録記録されている。したがって、個人情報にアクセスし読み込むためには、個人キー情報が必要となるようにしてある。
【０１００】
一方、このような管理センタ１で管理される提携者グループαを組織する付加サービスの付与者であるデパートαおよび飲食店α、付加サービスの提供者である駐車場αには、それぞれ管理センタ１のサーバ３との間でデータの授受を行う送受信装置１１が備えられている。さらに、電話回線やインターネットなど既存の電子通信手段によって、データベース２のデータへのアクセスおよびデータの利用を可能とするには、共通キーαを必要とするようになっている。
【０１０１】
また、デパートα、飲食店αおよび駐車場αには、それぞれ記録媒体２１の情報を読み取ることと、新たな情報を書き込むことができる読み書き装置１２が備えられている。さらに、この読み書き装置１２には、個人キー情報であるキーＡを読み込むことができるシステムが備えられている。
【０１０２】
このような割引サービスを利用する利用者である個人は、記録媒体２１を所有しており、この記録媒体２１には、個人キー情報であるキーＡが記録されるようになっている。
【０１０３】
以上のようにして提携者グループαに対する管理センタ１のサーバ３の提携者グループデータベース２や個人データベース４と、提携者グループαを組織するデパートα、飲食店αおよび駐車場αの送受信装置１１や読み書き装置１２等でシステムが構成されている。また、提携者ブループβについても共通キー情報としてキーβが付与され、同様に、管理センタ１のサーバ３の提携者グループデータベース２と、提携者グループβを組織するデパートβ、飲食店βおよび駐車場βの送受信装置１１や読み書き装置１２等でシステムが構成される。しかし、割引サービスの利用者個人の所有する記録媒体２１は１枚のものが共通に利用され、個人キー情報としてキーＡによって、サーバ３の個人情報へのアクセスおよび、暗号化された個人情報を読み込んで復号化することが可能となる。
【０１０４】
なお、提携者グループが増えた場合にも同様に構成され、利用者個人は１枚の記録媒体２１を所有し、個人キー情報を介して割引サービスを利用するようになっている。
【０１０５】
次に、このような付加サービスの集約管理システムによる実際の管理について具体的に説明する。
【０１０６】
まず、このシステムでは、付加サービスの付与および提供を同意する者、デパートα、飲食店αと、その付加サービスである駐車場の割引サービスを提供する駐車場αがグループαとして管理センタ１のサーバ３の提携者データベース２に登録され、キーαが付与される。
【０１０７】
なお、提供される付加サービスは、ここでは駐車場の割引サービスであるが、該グループαに属する者あるいはシステムであれば、付加サービスの提供者にも、付与者にもなり得る。
【０１０８】
そして、付加サービスの利用者である個人には、個人キー情報であるキーＡが付与され、サーバ３の個人データベース４に個人情報の１つとして登録される。さらに、各個人には、ＩＣカードなどの記録媒体が発行され、個人キー情報のキーＡを識別する情報が管理センタ１のサーバ３の個人データベース４に登録されている。
【０１０９】
このようなシステムで、例えば割引サービスの付与者であるデパートαで利用者Ａに駐車場の割引サービスが付与され、購入額に応じた割引サービスの情報が管理センタ１のサーバ３の個人データベース４に記録されているとする。
【０１１０】
Ａ．利用者のリクエストにより割引サービスの提供を受ける場合について、図６に示すフロー図にしたがって説明する。
【０１１１】
（１）　サービス提携者が個人キー情報を読み込む。
利用者が提出した記録媒体から、読み取り装置によって個人キー情報を読み取るようにする。
【０１１２】
（２）　サービス提携者が割引サービス等の情報の導出を行う。
【０１１３】
（３）　サービス提携者がシステムへのリクエストを入力する。
この利用者のリクエストは、管理センタ１のサーバ３の個人データベース４の個人の割引サービス情報に関する要求事項であり、ここでは駐車場の割引サービスを受けることが相当する。
【０１１４】
（４）　サービス提携者がシステムへ情報を送信する。
このサービス提携者がシステムへ送信する情報としては、個人キー情報、提携者間共通キー情報、提携者情報、割引サービス情報、システムへの利用者のリクエスト情報である。
【０１１５】
管理システムで次のような処理が行われる。
【０１１６】
（５）　個人キー情報を確認する。
送信された情報に基づき個人キー情報を確認する。個人キー情報がキーＡでない場合には、サービス提携者の読み取り装置に割引サービスの利用ができない者であることを表示するなどして利用者に知らせる。
【０１１７】
（６）　サービス提携者間共通キー情報を確認する。
送信されたサービス提携者間共通キー情報がキーαであることを確認する。サービス提携者間共通キー情報がキーαでない場合には、読み書き装置に割引サービスの利用ができないことを表示するなどして利用者に知らせる。
【０１１８】
（７）　個人データベース４にアクセスする。
２つのキー情報がキーＡおよびキーαであることが確認されると、個人データベース４へのアクセスが可能となる。
あるいは、２つのキー情報がキーＡおよびキーαであることが確認されると、２つの該キーによって、個人データベース４へアクセスし、データを復号化して読み込むことが可能となる。
【０１１９】
（８）　個人データベース内部のサービス情報が書き込まれたデータベースにアクセスする。
あるいは、個人データベース内部の情報が書き込まれたデータベースへアクセスし、キーＡおよびキーαによって該当する割引サービス情報を読み込み復号化する。
【０１２０】
（９）　システムに対してのリクエストが実行可能かを確認する。
利用者のリクエストが実行できなければ利用者のリクエストの入力に戻す。
【０１２１】
（１０）　サービス提携者へサービス情報の使用を許可する。
サービスの提供あるいは付与の許可を得た提携者は、キーαおよびキーＡによって、個人データベース４の該当付加サービス情報を、提供あるいは付与した付加サービス情報に基づいて、更新する。
【０１２２】
（１１）　これと同時に、提携者クループデータベース２にアクセスする。
利用者のリクエストの実行が可能であれば、これを実行し、（１２）　個人データベース４内の割引サービス情報を更新する。
【０１２３】
あるいは提携者グループデータベース２内の割引サービス情報を更新する。この時、キーＡあるいは、キーＡおよびキーαの二つのキーが必要となるようにしてある。
【０１２４】
実行した割引サービスに応じて対応する割引サービス分を差し引いた割引サービス情報に書き替えるようにする。
【０１２５】
（１３）　サービス提供者の処理（精算）は終了する。
これにより、利用者には記録媒体を返却するとともに、駐車場から車両を出庫させる。
【０１２６】
このようにして割引サービスの付与、割引サービスの提供等を行うことで、管理センタ１のサーバ３の提携者データベース２および個人データベース４に記録されている個人の割引サービス情報に個人キー情報Ａおよび共通キー情報αに基づいてアクセスできる。したがって、割引サービス情報だけを通信ネットワークを介してオンラインで利用することができ、集約的に管理することができる。さらに、利用者においても記録媒体を提示するだけで割引サービスの付与を受けたり、割引サービスを利用することができる。
【０１２７】
Ｂ．利用者個人が割引サービス情報を確認する場合には、図７に示すようなフロー図にしたがって確認することができる。
【０１２８】
管理センタ１のサーバ３の個人データベース４に割引サービスの情報が記録されるが、利用者個人では、記録媒体を見ただけではその内容を確認することができない。したがって、利用者個人は、次のようにして割引サービスの内容の確認を行う。
【０１２９】
（１）　個人が個人キー情報を入力する。
サービス提携者の読み書き装置に個人の所有する記録媒体を入れる、あるいは載置（タッチ）することにより、個人キー情報を読み取らせることで入力する。または、パソコンと読み書き装置をつなげて、個人キー情報を読み取ることで、入力できる。
【０１３０】
（２）　個人がシステムへのリクエストを入力する。
サービス提携者からサービス情報を享受する利用者の、当該利用者の有する割引サービス情報の確認に関する要求事項であり、ここでは、駐車場の割引サービス情報を確認することが相当する。
【０１３１】
（３）　個人がシステムへ情報を送信する。
パソコンおよび携帯電話や携帯端末などを利用して情報を送信する。
この個人がシステムへ送信する情報としては、個人キー情報、システムへのリクエスト情報である。
【０１３２】
管理システムで次のような処理が行われる。
（４）　個人キー情報を確認する。
送信された情報に基づき個人キー情報を確認する。個人キー情報がキーＡでない場合には、サービス提携者の読み書き装置に割引サービスの利用ができない者であることを表示するなどして利用者に知らせる。
【０１３３】
（５）　個人キーに当たる個人データベースにアクセスする。
個人キー情報がキーＡであることが確認されると、個人データベース４へのアクセスが可能となる。
あるいは個人キー情報がキーＡであることが確認されると、個人データベース４へのアクセスが許可され、該当する個人情報データを復号化して読み取ることが可能となる。
【０１３４】
（６）　リクエストの実行可能性を確認する。
利用者のリクエストが実行できなければ利用者のリクエストの入力に戻す。
【０１３５】
（７）　リクエストされた情報を個人キーに当たる個人データベースの中から個人の所有する媒体に送信する。
リクエストして来た媒体、例えばパソコンや携帯電話、形態端末などに個人情報を送信する。
【０１３６】
（８）　個人がリクエストした情報を受け取り処理は終了する。
受けとった内容はＰＣの画面や専用端末の画面などを用いて表示することで、個人は割引サービス情報の内容を確認することができる。
【０１３７】
このような割引サービスの情報の確認は、利用者の所有する端末やサービス提携者の端末などからの要求により行うようにする。
【０１３８】
これにより、割引サービスの内容を忘れてしまったり、前回に受けた割引サービスから相当の期間が経過した場合などであっても簡単にその内容を確認することができる。
【０１３９】
また、確認したときや割引サービスの利用の都度、割引サービスの情報をプリンタなどで印刷して利用者に渡すようにして確認できるようにしても良い。
【０１４０】
Ｃ．サービス提携者において割引サービスについての情報を確認する場合には、図８に示すフロー図にしたがって行う。
【０１４１】
サービス提携者においては、例えば従来の駐車場サービス券を付与し、これを回収したりするだけでなく、割引サービスが情報としてデータベースに記録され、更新されることから、この情報を利用することができ、その場合には次のようにして行う。
【０１４２】
（１）　サービス提携者がサービス提携者間の共通キー情報を入力する。
【０１４３】
（２）　サービス提携者が管理システムに必要な情報等をリクエストする。
このリクエストは、サービス提携者が管理システムの有する当該サービス提携者の割引サービスの情報に関して管理システムのデータベースに関して、管理システムに対して行う要求事項である。
【０１４４】
（３）　サービス提携者が管理システムへ情報を送信する。
サービス提携者はＰＣやＰＯＳ端末等を利用して情報を送信する。
ここで送信する情報としては、サービス提携者間の共通キー情報、サービス提携者の情報、システムへのリクエスト情報等である。
【０１４５】
（４）　管理センタでは、サービス提携者間の共通キー情報の確認を行う。
【０１４６】
（５）　共通キー情報に対応した提携者グループのデータベースへアクセスし、サービス提携者のリクエストが実行可能か判断する。
【０１４７】
（６）　サービス提携者間の共通キー情報に対応した提携者グループのデータベースにアクセスし、提携者のリクエストした情報を作成する。
【０１４８】
（７）　作成された提携者のリクエストした情報を送信する。
【０１４９】
（８）　サービス提携者がリクエストした情報を得る。
【０１５０】
このようにしてサービス提携者は通信ネットワークを介して情報を得ることができる。さらに、割引サービスの付与や提供だけでなく、これに基づく情報をオンラインで簡単に利用することができ、本来の業務に利用することができる。
【０１５１】
このような付加サービスの集約管理システムによれば、管理センタのサーバ３の提携者グループデータ２の割引サービスなどの付加サービス情報にアクセスする。さらに、利用を可能とするには、共通キー情報を必要とするようにしているため、サービス提携者に共通キー情報を与えることで、その付加サービス提携者は割引サービスなどの情報を通信ネットワークを介してオンラインで利用できる。
【０１５２】
また、管理センタのサーバ３の個人データベース４の付加サービス情報にアクセスして利用を可能とするには、共通キー情報および個人キー情報が必要となる。したがって、該データベースに対して、それぞれの共通キー情報を必要とする独立した各々の付加サービス情報を記録することができる。また、個人は個人キー情報だけを管理するだけで、種々の付加サービスを利用することができて、地域の異なる付加サービスも何等区別すること無く、容易に利用できる。
【０１５３】
さらに、これまでのポイントサービスのようにポイントの付加だけでなく、そのポイントの利用をサービス提携者間で簡単に行うことができる。しかもこれらの利用状況などを簡単に知ることができる。
【０１５４】
また、サービス提携者間で同意した付加サービスであれば、駐車場のサービスなど１種類のサービスに限らず複数のサービスであってもその付与、利用、提供などの管理を集約して行うことができる。
【０１５５】
【発明の効果】
以上、実施の形態とともに具体的に説明したようにこの発明の請求項１記載の付加サービスの集約管理システムによれば、付加サービスの付与および提供を同意する者の情報を１つのグループとして登録するとともに、付加サービスの利用者の記録媒体の情報を登録しておき、この１つのグループに対して１つの共通キー情報を発行し、記録媒体に共通キー情報ごとに付加サービス情報を記録することで、付加サービス利用者の要求により記録媒体に記録された共通キー情報に対する付加サービス情報にアクセスし、提供した付加サービスに基づき付加サービス情報を書き替えるようにしたので、１つのグループのもつアクセス権に相当する共通キーを介して記録媒体の付加サービス情報を利用するようにして付加サービス情報だけを利用でき、コンピュータにより集約的に管理することができる。
【０１５６】
また、この発明の請求項２記載の付加サービスの集約管理システムによれば、付加サービスの付与および提供を同意するものの情報を１つのグループとして登録できる。さらに、付加サービスの利用者の記録媒体の情報を登録しておき、この１つのグループに対して１つの共通キー情報を発行し、記録媒体ごとに、記録媒体キー情報を発行する。
【０１５７】
記録媒体および管理システムのデータベースに記録される付加サービス情報は、共通キー情報および記録媒体キー情報によって暗号化されて記録される仕組みとなっている。また、該記録媒体の該付加サービス情報にアクセスし、複号化（暗号化されたデータを基に戻すことを）するためには、共通キー情報あるいは記録媒体キー情報を必要とする。さらに、付加サービス利用者の要求により、共通キー情報および記録媒体キー情報に対して、記録媒体に記録された付加サービス情報にアクセスし、提供した付加サービスに基づき付加サービス情報を書き替えるようにしている。このため、１つのグループのもつ共通キー情報および記録媒体の記録媒体キー情報を介して、記録媒体の該共通キー情報に関する付加サービス情報だけを利用でき、コンピュータにより集約的に管理することができる。
【０１５８】
さらに、この発明の請求項３記載の付加サービスの集約管理システムによれば、付加サービスの付与および提供を同意する者の情報を１つのグループとして登録できる。付加サービスを利用する利用者の個人情報をサーバに登録し、この１つのグループに対してサーバの情報にアクセス可能とする１つの共通キー情報を発行する。利用者に対しては、個人情報にアクセス可能とする個人キー情報を発行し、サーバに個人キー情報および共通キー情報ごとに付加サービス情報を記録する。さらに、付加サービス利用者の要求により記録媒体に記録された個人キー情報に対する個人情報に通信ネットワークを介してアクセスするとともに、共通キー情報に対する付加サービス情報にアクセスする。このように提供した付加サービスに基づき付加サービス情報を書き替えるようにしたので、１つのグループのもつアクセス権に相当する共通キーを介して要求された個人キーに対するサーバの付加サービス情報を利用するようにし、通信ネットワークを介して集約的に付加サービス情報を管理することができる。
【０１５９】
また、この発明の請求項４記載の付加サービスの集約管理システムによれば、付加サービスの付与および提供を同意する者の情報を１つのグループとして登録するとともに、付加サービスを利用する利用者の個人情報をサーバに登録する。この１つのグループに対して、サーバにある情報に、該グループと前記付加サービス利用者のみが理解することが可能な情報の受け渡し、および該グループと前記付加サービスの利用者との間で認証するために必要な共通キー情報を発行する。また、利用者に対しては、該利用者のみが理解することが可能な情報の受け渡し、および管理センタと該利用者との間で認証することを可能とする個人キー情報を発行する。サーバのデータベースおよび個人データベースに記録される付加サービス情報は、個人キー情報および共通キー情報によって暗号化されて記録される仕組みとなっている。また、通信ネットワークを介して、サーバの該付加サービス情報にアクセスし、復号化（暗号化されたデータを元に戻すことを）するためには、個人キー情報あるいは共通キー情報を必要とする。さらに、付加サービス利用者の要求により、共通キー情報および個人キー情報に対して、サーバの個人データベースに記録された付加サービス情報にアクセスし、提供した付加サービスに基づき付加サービス情報を書き替えるようにしている。このため、１つのグループのもつ共通キー情報および個人キー情報を介して、記録媒体の該共通キー情報に関する付加サービス情報だけを利用でき、通信ネットワークを介して集約的に付加サービス情報を管理することができる。
【０１６０】
さらに、この発明の請求項５記載の付加サービスの集約管理システムによれば、複数のグループを登録し、それぞれのグループごとに異なる共通キー情報を発行するようにしたので、利用者の１つの記録媒体で複数のグループのそれぞれ異なる付加サービス情報をグループごとの共通キー情報で管理でき、コンピュータや通信ネットワークのいずれを介しても集約的に付加サービス情報を管理することができる。
【０１６１】
また、この発明の請求項６記載の付加サービスの集約管理システムによれば、前記グループ登録ステップに登録されるグループを、前記付加サービスの付与および提供を同意することによって形成されるグループで構成するようにしたので、地域などの物理的な限定を受けない付加サービスを管理することができる。
【０１６２】
さらに、この発明の請求項７記載の付加サービスの集約管理システムよれば、付加サービスの付与者および提供者は複数のグループに所属していても管理することができる。
【０１６３】
また、この発明の請求項７記載の付加サービス集約管理システムによれば、グループに所属する者あるいはシステムは、複数のグループに所属することも可能としたので、グループが複数であっても管理することができる。
【０１６４】
さらに、この発明の請求項８記載の付加サービス集約管理システムによれば、グループに属するものは付加サービスの提供者にも付与者にもなりえて、いずれの場合でも管理することができる。
【０１６５】
また、この発明の請求項９記載の付加サービスの集約管理システムは、付加サービスを駐車場の割引サービスとし、グループを駐車場の割引サービスの付与者および駐車場の管理者とするようにしたので、駐車場の割引サービスを記録媒体と分離して効率的に管理することができる。
【図面の簡単な説明】
【図１】この発明の付加サービスの集約管理システムの一実施の形態にかかり駐車場の割引サービスに適用した場合の概略構成図である。
【図２】この発明の付加サービスの集約管理システムの一実施の形態にかかり駐車場の割引サービスに適用した場合の利用者のリクエストにより割引サービスの提供を受ける場合のフロー図である。
【図３】この発明の付加サービスの集約管理システムの一実施の形態にかかり駐車場の割引サービスに適用した場合の利用者個人が割引サービス情報を確認する場合のフロー図である。
【図４】この発明の付加サービスの集約管理システムの一実施の形態にかかり駐車場の割引サービスに適用した場合のサービス提携者において割引サービスについての情報を確認する場合のフロー図である。
【図５】この発明の付加サービスの集約管理システムの他の一実施の形態にかかり通信ネットワークを利用した駐車場の割引サービスに適用した場合の概略構成図である。
【図６】この発明の付加サービスの集約管理システムの他の一実施の形態にかかり通信ネットワークを利用した駐車場の割引サービスに適用した場合の利用者のリクエストにより割引サービスの提供を受ける場合のフロー図である。
【図７】この発明の付加サービスの集約管理システムの他の一実施の形態にかかり通信ネットワークを利用した駐車場の割引サービスに適用した場合の利用者個人が割引サービス情報を確認する場合のフロー図である。
【図８】この発明の付加サービスの集約管理システムの他の一実施の形態にかかり通信ネットワークを利用した駐車場の割引サービスに適用した場合のサービス提携者において割引サービスについての情報を確認する場合のフロー図である。
【符号の説明】
１　管理センタ
２　データベース（提携者グループデータベース）
３　サーバ
４　個人データベース
１１　送受信装置
１２　読み書き装置
１３　システム
２１　記録媒体
【図１】
2004078732.tif 000003
【図２】
2004078732.tif 000004
【図３】
2004078732.tif 000005
【図４】
2004078732.tif 000006
【図５】
2004078732.tif 000007
【図６】
2004078732.tif 000008
【図７】
2004078732.tif 000009
【図８】
2004078732.tif 000010